(57)【要約】【課題】構造が簡単で容易に取り扱うことができるとともに、被選別粒の大きさが異なった場合にも、選択を間違えることなく的確に段取り替えすることができる篩網を提供する。【解決手段】被選別粒を選別落下させるための網体３３を備え、所定角度の傾斜状態で揺動させることにより、網体３３の上面に供給される被選別粒を傾斜網面に沿って上流側から下流側に流動させながら選別する。網体３３には網目の大きさの異なった複数の選別領域３３ａ〜３３ｃを設ける。これにより、網体３３の網目を上流側から下流側に向かって次第に大きくなるように形成する。【選択図】      図２
2004223364.tif 000002
【特許請求の範囲】
【請求項１】
被選別粒を選別落下させるための網体を備え、所定角度の傾斜状態で揺動させることにより、網体の上面に供給される被選別粒を傾斜網面に沿って上流側から下流側に流動させながら、篩い選別するようにした篩網において、
前記網体の網目を上流側から下流側に向かって次第に大きくなるように形成したことを特徴とする篩網。
【請求項２】
前記網体に網目の大きさの異なった複数の選別領域を設けたことを特徴とする請求項１に記載の篩網。
【請求項３】
前記網体を被選別粒の流動方向に延びる複数の経線と、流動方向と交差する方向に延びる複数の緯線とから構成し、その緯線間の間隔を変更することにより、網目の大きさを変えたことを特徴とする請求項１または請求項２に記載の篩網。
【発明の詳細な説明】
【０００１】
【発明の属する技術分野】
この発明は、例えば籾すり機の選別装置に装備されるようにした篩網に関するものである。
【０００２】
【従来の技術】
従来、籾すり機の選別装置には、例えば特許文献１に開示されるような篩網が使用されていた。すなわち、この従来装置においては、図７に示すように、少なくとも４枚の網板４１〜４４が重合状態で配置され、それらの網板４１〜４４には下段のものほど網目を小さくした網体４１ａ〜４４ａが張設されている。そして、これらの網板４１〜４４が所定角度の傾斜状態に支持されて所定の方向（例えば、矢印で示す長手方向）へ揺動されることにより、上段の網板４１上に供給される被選別粒としての脱ぷ粒が各網板４１〜４４の網体４１ａ〜４４ａにて順に篩い選別される。この選別により、脱ぷ粒が玄米、玄米と未脱ぷ粒との混合米、未脱ぷ粒、ワラ屑や小石等の異物に選別されるようになっている。
【０００３】
【特許文献１】
実開昭５７−１５２９７５号公報
【０００４】
【発明が解決しようとする課題】
ところが、この従来の篩網においては、４枚以上の複数の網板を一組として装備する必要があるため、部品点数が増えて、選別装置として構造が複雑であるとともに、取り扱いが繁雑になるという問題があった。また、篩い選別される米の品種によって米粒の大きさが異なるため、特に３段目及び４段目の網板４３，４４として、網体４３ａ，４４ａの網目の大きさの異なったものをそれぞれ複数種ずつ用意する必要があった。よって、これらの網板４１〜４４を的確に組み合わせて使用するのに熟練と注意とを要し、組み合わせを間違えると選別能率の低下を招くという問題もあった。
【０００５】
この発明は、このような従来の技術に存在する問題点に着目してなされたものである。その目的は、構造が簡単で容易に取り扱うことができるとともに、被選別粒の大きさが異なった場合にも、選択を間違えることなく的確に段取り替えすることができる篩網を提供することにある。
【０００６】
【課題を解決するための手段】
上記の目的を達成するために、請求項１に記載の発明は、被選別粒を選別落下させるための網体を備え、所定角度の傾斜状態で揺動させることにより、網体の上面に供給される被選別粒を傾斜網面に沿って上流側から下流側に流動させながら篩い選別するようにした篩網において、前記網体の網目を上流側から下流側に向かって次第に大きくなるように形成したことを特徴とするものである。
【０００７】
従って、この請求項１に記載の発明によれば、複数枚の網板を装備する必要がなく、部品点数が少なくなって、選別装置の構造が簡単であるとともに、選別装置を容易に取り扱うことができる。また、大きさが異なった被選別粒を選別する場合にも、網目の大きさの変化度合い等が異なった複数種の篩網を用意して、それを選択的に使用すればよい。よって、異なった種類の網板を組み合わせて使用する従来構成とは異なり、組み合わせを間違えるおそれもなく、的確に段取り替えすることができる。
【０００８】
請求項２に記載の発明は、請求項１に記載の発明において、前記網体に網目の大きさの異なった複数の選別領域を設けたことを特徴とするものである。
従って、この請求項２に記載の発明によれば、構造が簡単であるとともに、網体上の複数の選別領域において、被選別粒を複数の大きさに確実に選別することができる。
【０００９】
請求項３に記載の発明は、請求項１または請求項２に記載の発明において、前記網体を被選別粒の流動方向に延びる複数の経線と、流動方向と交差する方向に延びる複数の緯線とから構成し、その緯線間の間隔を変更することにより、網目の大きさを変えたことを特徴とするものである。
【００１０】
従って、この請求項３に記載の発明によれば、網体の製造時に、経線間の間隔を一定にした状態で、緯線間の間隔のみを変更することにより、網体の網目の大きさを任意に変更設定することができる。このため、網体を簡単に製造することが可能になる。
【００１１】
【発明の実施の形態】
（第１実施形態）
以下に、この発明を籾すり機の選別装置に具体化した第１実施形態を、図１〜図５に基づいて説明する。
【００１２】
図１に示すように、この籾すり機においては、本体ケース１１の側部の籾用ホッパ１２から供給される籾が脱ぷファン１３により脱ぷされた後、その脱ぷ粒Ｇ１が出口管１４を介して上部選別室１５に送られる。この上部選別室１５では、図示しない吸引ファンの吸引空気流により、脱ぷ粒Ｇ１に含まれる籾殻やワラ屑等が除去されて排塵筒１６より外部に排出されるとともに、脱ぷ粒Ｇ１中からシイナＧ１ａが選別されて排出樋１７より外部に排出されるようになっている。
【００１３】
前記本体ケース１１内には、被選別粒としての脱ぷ粒Ｇ１を選別するための選別装置１８が配設されている。この選別装置１８には１枚の篩網１９が一対の支持ローラ２０により所定角度の傾斜状態で支持され、バネ２１により前方でかつ下方に向かって移動付勢されている。そして、この篩網１９が偏心カム２２の回転により、カムフォロワ２３を介して上下方向に揺動されて、篩網１９の網体上に供給される脱ぷ粒Ｇ１が傾斜網面に沿って上流側から下流側に流動されながら複数に篩い選別されるようになっている。
【００１４】
前記篩網１９の長手方向の上方部分から選別落下した玄米Ｇ２は、第１傾斜ガイド板２４を介して第１樋２５内に収容された後、排出スロワー２６により回収されて、その上部口２６ａから排出される。この場合、玄米Ｇ２が第１樋２５内に落下する途中で、前記吸引ファンの吸引空気流により、玄米Ｇ２中に含まれる未熟粒Ｇ２ａが選別除去されて外部に排出されるようになっている。
【００１５】
また、前記篩網１９の中間部分から選別落下した玄米Ｇ２と未脱ぷ粒Ｇ４との混合米Ｇ３は、第２傾斜ガイド板２７を介して第２樋２８内に収容された後、図示しない還元スロワーにより回収されて、前記上部選別室１５に還元され、他の脱ぷ粒Ｇ１とともに再選別される。さらに、篩網１９の下方部分から選別落下した未脱ぷ粒Ｇ４は、第３傾斜ガイド板２９を介して第３樋３０内に収容された後、図示しない還流パイプを介して前記脱ぷファン１３に送られて再脱ぷされる。しかも、篩網１９の網体上面に沿って下流側まで流動されたワラ屑や小石等の異物は、排出樋３１内に排出されるようになっている。
【００１６】
次に、前記篩網１９の構成について詳細に説明する。図２〜図５に示すように、篩網１９は長四角状の枠体３２と、その枠体３２の上面に張設された網体３３とから構成されている。網体３３の長手方向の両端縁は複数の止め具３４により枠体３２の上面に固定され、幅方向の両側縁は押え部材３５を介して複数の釘３６により枠体３２の上面に固定されている。そして、板状をなす前記カムフォロワ２３が枠体３２の下面に取り付けられている。
【００１７】
図２及び図３に示すように、前記網体３３には網目の大きさの異なった複数の選別領域３３ａ，３３ｂ，３３ｃが設けられている。これにより、網体３３の網目が脱ぷ粒Ｇ１の流動方向に沿って上流側から下流側に向かい次第に大きくなるように形成されている。すなわち、網体３３は脱ぷ粒Ｇ１の流動方向に延びる複数の経線３７と、流動方向と交差する方向に延びる複数の緯線３８とから構成されている。そして、経線３７間の間隔Ｓ１を一定するとともに、緯線３８間の間隔Ｓ２ａ，Ｓ２ｂ，Ｓ２ｃを変えることにより、選別領域３３ａ，３３ｂ，３３ｃにおいて網目の大きさが次第に大きくなるように形成されている。
【００１８】
ちなみに、網体３３の上流側の選別領域３３ａの網目は７．０目に、中間部分の選別領域３３ｂの網目は６．２５〜６．７５目に、下流側の選別領域３３ｃの網目は５．０目に設定されている。なお、網目とは３０．３ｍｍ（１寸）の内に目が何個存在しているかの数値を指し、この数値が大きくなるほど網目は細かくなる。
【００１９】
よって、この篩網１９を備えた選別装置１８により脱ぷ粒Ｇ１を選別した場合には、網体３３の網目が小さい上流側の選別領域３３ａにおいて、玄米Ｇ２が選別落下されて第１樋２５内に収容される。また、網体３３の網目が中程度の中間部分の選別領域３３ｂにおいて、玄米Ｇ２と未脱ぷ粒Ｇ４との混合米Ｇ３が選別落下されて第２樋２８内に収容される。さらに、網体３３の網目が大きい下流側の選別領域３３ｃにおいて、未脱ぷ粒Ｇ４が選別落下されて第３樋３０内に収容される。
【００２０】
また、この実施形態においては、米粒の大きさが異なる複数品種の米の籾すりに対応できるように、網体３３の網目の大きさの変化度合い、例えば上流側及び中間部分の選別領域３３ａ，３３ｂの網目の大きさを変更した複数種の篩網１９が用意されている。そして、異なった品種の米の籾すりを行う場合には、これらの篩網１９を任意に選択して、選別装置１８の段取り替えを行うようになっている。
【００２１】
従って、この実施形態によれば、以下のような効果を得ることができる。
（Ａ）  この篩網１９においては、脱ぷ粒Ｇ１を選別落下させるための網体３３が設けられ、その網体３３の網目が脱ぷ粒Ｇ１の流動方向に沿って上流側から下流側に向かい次第に大きくなるように形成されている。そして、この篩網１９が所定角度の傾斜状態で揺動されることにより、網体３３の上面に供給される脱ぷ粒Ｇ１が傾斜網面に沿って上流側から下流側に流動されながら、網目の大きさに応じて複数に篩い選別されるようになっている。
【００２２】
このため、複数枚の網板を装備する必要がなく、選別装置の構造が簡単になるとともに、同装置を容易に取り扱うことができる。また、大きさが異なった脱ぷ粒Ｇ１を選別する場合にも、網目の大きさの変化度合い等が異なった複数種の篩網１９を用意して、それを選択的に使用すればよい。よって、異なった種類の網板を組み合わせて使用する従来構成とは異なり、組み合わせを間違えるおそれもなく、作業者に熟練等が備えられていなくても、的確に段取り替えすることができる。
【００２３】
（Ｂ）  この篩網１９においては、前記網体３３に網目の大きさの異なった複数の選別領域３３ａ〜３３ｃが設けられている。このため、構造が簡単であるとともに、網体３３上の複数の選別領域３３ａ〜３３ｃにおいて、脱ぷ粒Ｇ１を玄米Ｇ２、混合米Ｇ３及び未脱ぷ粒Ｇ４等の複数の大きさに確実に選別することができる。
【００２４】
（Ｃ）  この篩網１９においては、前記網体３３が脱ぷ粒Ｇ１の流動方向に延びる複数の経線３７と、流動方向と交差する方向に延びる複数の緯線３８とから構成されている。そして、緯線３８間の間隔Ｓ２ａ〜Ｓ２ｃを変えることによって、網目の大きさが変更されている。このため、網体３３の製造時に、経線３７間の間隔Ｓ１を一定にした状態で、緯線３８間の間隔Ｓ２ａ〜Ｓ２ｃのみを変更することによって、網体３３の網目の大きさを任意に変更設定することができる。従って、網体３３を簡単に製造することができる。
【００２５】
（第２実施形態）
次に、この発明の第２実施形態を、前記第１実施形態と異なる部分を中心に説明する。
【００２６】
さて、この第２実施形態の篩網１９においては、図６に示すように、網体３３の経線３７間の間隔Ｓ１が一定になるとともに、緯線３８間の間隔Ｓ２が脱ぷ粒Ｇ１の流動方向の上流側から下流側に向かって順にかつ漸次広くなるように設定されている。これにより、網体３３の網目が脱ぷ粒Ｇ１の流動方向に沿って連続的に大きくなるように形成されている。
【００２７】
また、この実施形態の籾すり機においては、篩網１９の下方に配置される第２傾斜ガイド板２７及び第３傾斜ガイド板２９が篩網１９の傾斜方向に沿って移動調節可能に構成されている。そして、品種の異なった米の籾すりを行う場合、その米粒の大きさに応じて、これらのガイド板２７，２９を移動調節するようになっている。
【００２８】
従って、この第２実施形態によれば、前記第１実施形態における（Ａ）及び（Ｃ）に記載の効果に加えて、以下のような効果を得ることができる。
（Ｄ）  この篩網１９においては、前記網体３３の網目の大きさが連続的に変化するように形成されている。このため、米粒の大きさが異なった脱ぷ粒Ｇ１を選別する場合、網目の大きさの変化度合い等が異なった複数種の篩網１９を用意する必要がなく、網体３３から選別落下する選別粒を受けるための複数のガイド板２７，２９の位置を移動させればよい。よって、構成を一層簡略化することができる。
【００２９】
（変更例）
なお、この実施形態は、次のように変更して具体化することも可能である。
・  前記第１実施形態において、網体３３に２つまたは４つ以上の複数の選別領域を設けること。
【００３０】
・  前記各実施形態の篩網１９を、籾すり機とは異なった機械の選別装置に装備すること。
・  網体の経線間の間隔を変更することにより、網目の大きさを変えること。
【００３１】
・  網体の緯線及び経線の各間隔を変更することにより、網目の大きさを変えること。
（別の技術的思想）
さらに、上記実施形態により把握される請求項以外の技術的思想について、以下にそれらの効果とともに記載する。
【００３２】
（１）  前記網体の網目の大きさを連続的に変えた請求項１または請求項３に記載の篩網。
この構成によれば、大きさが異なった被選別粒を選別する場合、網目の大きさの変化度合い等が異なった複数種の篩網を用意する必要がなく、網体から選別落下する選別粒を受けるための複数の受け部材の位置を移動させればよい。よって、構成を一層簡略化することができる。
【００３３】
（２）  前記請求項１〜請求項３、前記（１）のうちのいずれか一項に記載の篩網を選別装置に装備した籾すり機。
この構成によれば、脱ぷ粒を選別する選別装置において、前記請求項１〜請求項３、（１）のうちのいずれか一項に記載の効果と同様の効果を得ることができる。
【００３４】
【発明の効果】
以上、実施形態で例示したように、この発明においては、構造が簡単で容易に取り扱うことができる。また、被選別粒の大きさが異なった場合にも、選択を間違えることなく的確に段取り替えすることができる。
【図面の簡単な説明】
【図１】第１実施形態の篩網を備えた籾すり機を示す断面図。
【図２】図１の篩網を拡大して示す斜視図。
【図３】同じく篩網の拡大平面図。
【図４】図２の４−４線における部分拡大断面図。
【図５】図２の５−５線における部分拡大断面図。
【図６】第２実施形態の篩網を示す斜視図。
【図７】従来の篩網を示す斜視図。
【符号の説明】
１３…脱ぷファン、１８…選別装置、１９…篩網、２０…支持ローラ、２２…偏心カム、３２…枠体、３３…網体、３３ａ〜３３ｃ…選別領域、３７…経線、３８…緯線、Ｇ１…被選別粒としての脱ぷ粒、Ｓ１…経線間の間隔、Ｓ２，Ｓ２ａ〜Ｓ２ｃ…緯線間の間隔。
【図１】
2004223364.tif 000003
【図２】
2004223364.tif 000004
【図３】
2004223364.tif 000005
【図４】
2004223364.tif 000006
【図５】
2004223364.tif 000007
【図６】
2004223364.tif 000008
【図７】
2004223364.tif 000009